(57)【要約】【課題】洗浄液を有効に使用できる清掃用パッドを提供する。【解決手段】液透過性の表面シート１０と、液不透過性の裏面シート１１と、その間に介在された吸収体１２をそなえる。また、吸収体１２と表面シート１０との間には、吸収体１２より液吸収速度の遅い樹脂シート１３を有する。そして、清掃面１５の縁部Ｍ１，Ｍ２における液吸収速度を中央部Ｃにおける液吸収速度より遅くするように、清掃面１５の縁部Ｍ１，Ｍ２に対応する部分に樹脂シート１３を、中央部Ｃに対応する部分に吸収体１２を設ける。【選択図】　　　　図３
2004097515.tif 000002
【特許請求の範囲】
【請求項１】
液透過性の表面シートと、裏面シートと、その間に介在された吸収体をそなえ、洗浄液を用いて前記表面シートが形成する清掃面で対象物を擦って清掃する清掃用パッドにおいて、
前記清掃面の縁部における液吸収速度を前記清掃面の中央部における液吸収速度より遅くすることを特徴とする、清掃用パッド。
【請求項２】
前記清掃面の全周にわたって前記縁部の前記液吸収速度を前記中央部の前記液吸収速度より遅くすることを特徴とする、請求項１に記載の清掃用パッド。
【請求項３】
前記縁部に対応する、前記表面シートと前記吸収体との間に疎水性シートを設けることを特徴とする、請求項１または２に記載の清掃用パッド。
【請求項４】
前記吸収体を前記縁部に対応する部分と前記中央部に対応する部分とで親水度の異なる部材を用いて形成し、前者は親水度の高い吸収体、後者は親水度の低い吸収体で形成することを特徴とする、請求項１または２に記載の清掃用パッド。
【請求項５】
前記縁部に対応する部分の厚さを前記中央部に対応する部分の厚さよりも薄くすることを特徴とする、請求項３または４に記載の清掃用パッド。
【請求項６】
前記清掃面の面積に対して液吸収速度を遅くした前記縁部の面積の比率が３０〜７０％であることを特徴とする、請求項１ないし５のいずれか１に記載の清掃用パッド。
【発明の詳細な説明】
【０００１】
【発明の属する技術分野】
この発明は、液透過性の表面シートと、裏面シートと、その間に介在された吸収体をそなえ、液体を用いて前記表面シートが形成する清掃面で対象物を擦って清掃する清掃用パッドに関する。
【０００２】
【従来の技術】
従来の清掃用パッドとしては、モップ型の清掃用具に装着して使用するものが知られており、床の埃を取り除く乾式の清掃用パッドと、床の埃を取り除くのに加えて、床に付着した汚れを落とすための湿式の清掃用パッドがある。
【０００３】
湿式の清掃用パッドとして、予め洗浄液を含浸させたものが、特開平９−２５３０１７号公報に開示されている。
【０００４】
一方、特開平１１−２６７０７９号公報には、予め洗浄液を含浸させず、乾式の清掃用パッド、湿式の清掃用パッドのいずれとしても使用することができる清掃用パッドが開示されている。この清掃用パッドは、開孔部を有する層と、開孔部を有しない層をそなえる多層構造からなり、湿式の清掃用パッドとして使用する場合には、開孔部を有する層を吸水性繊維または、疎水性繊維で形成し、開孔部を有しない層を吸水性繊維や疎水性繊維で形成しうる旨の記載がある。
【０００５】
【発明が解決しようとする課題】
しかしながら、前者のような清掃用パッドは、薄く、耐久性および使用持続性がないという問題があった。
【０００６】
また、後者のような清掃用パッドは、前者の清掃用パッドに比べて厚く、耐久性および使用持続性があるが、清掃面が吸水性繊維を含むようにした場合、床に散布した洗浄液をシートで延ばす際に吸水性繊維が洗浄液を吸収してしまうため、洗浄液を十分に延ばすことができず、洗浄液を有効に使用できないという問題がある。
【０００７】
また、清掃面に疎水性繊維を含むようにした場合は、洗浄液を清掃面で延ばすことはできるものの、汚れた洗浄液が疎水性繊維に吸収され難く、床に残ってしまい、洗浄液を有効に使用できないとの問題がある。
【０００８】
そこで、この発明の目的は、洗浄液を有効に使用できる清掃用パッドを提供することにある。
【０００９】
【課題を解決するための手段】
そのため、請求項１に記載の発明は、液透過性の表面シートと、裏面シートと、その間に介在された吸収体をそなえ、洗浄液を用いて前記表面シートが形成する清掃面で対象物を擦って清掃する清掃用パッドにおいて、前記清掃面の縁部における液吸収速度を前記清掃面の中央部における液吸収速度より遅くすることを特徴とする。
【００１０】
したがって、清掃面の縁部で洗浄液の吸収を遅らせて、対象物により広く延ばすことができるので、洗浄液を有効に使用できる。
【００１１】
請求項２に記載の発明は、請求項１に記載の清掃用パッドにおいて、前記清掃面の全周にわたって前記縁部の前記液吸収速度を前記中央部の前記液吸収速度より遅くすることを特徴とする。
【００１２】
したがって、清掃用パッドをどの方向に動かしても洗浄液を対象物に、より広く延ばすことができるので、洗浄液をより一層有効に使用できる。
【００１３】
請求項３に記載の発明は、請求項１または２に記載の清掃用パッドにおいて、前記縁部に対応する、前記表面シートと前記吸収体との間に疎水性シートを設けることを特徴とする。
【００１４】
したがって、簡易な構造で縁部の吸収速度を遅くして、洗浄液をより一層広く延ばすことができる。
【００１５】
請求項４に記載の発明は、請求項１または２に記載の清掃用パッドにおいて、前記吸収体を前記縁部に対応する部分と前記中央部に対応する部分とで親水度の異なる部材を用いて形成し、前者は親水度の高い吸収体、後者は親水度の低い吸収体で形成することを特徴とする。
【００１６】
したがって、親水度の低い吸収体は、清掃面以外も親水度の低い材料で形成されているので、清掃時に、清掃面以外の面から洗浄液を吸収し難くし、洗浄液を有効に使用することができる。
【００１７】
請求項５に記載の発明は、請求項３または４に記載の清掃用パッドにおいて、前記縁部に対応する部分の厚さを前記中央部に対応する部分の厚さよりも薄くすることを特徴とする。
【００１８】
したがって、清掃をする際に、清掃用パッドと床面との抵抗を少なくすることができ、スムーズに清掃用具を動かすことができる。
【００１９】
請求項６に記載の発明は、請求項１ないし５のいずれか１に記載の清掃用パッドにおいて、前記清掃面の面積に対して液吸収速度を遅くした前記縁部の面積の比率が３０〜７０％であることを特徴とする。
【００２０】
したがって、清掃面の面積に対する縁部の面積を最適な比率とすることができるので、洗浄液をより広く延ばし、かつ十分な吸収量が確保でき、１枚でより多くの面積を清掃しうる清掃用パッドを提供することができる。
【００２１】
【発明の実施の形態】
以下、図面を参照しつつ、この発明の実施の形態につき説明する。図１には、この発明の清掃用パッドの縦断斜視図を示す。
【００２２】
この発明の清掃用パッドＰは、液透過性の表面シート１０と、裏面シート１１と、その間に介在された液体を吸収、保持する吸収体１２をそなえる。また、吸収体１２と表面シート１０の間には、樹脂シート（疎水性シート）１３を有する。
【００２３】
裏面シート１１は、長矩形の薄いシート状であり、例えば、プラスチックフィルムなどからなる。
【００２４】
吸収体１２は、長矩形の厚みのある板状であり、液体の吸収速度（液吸収速度）が速い、例えば、綿、亜麻、木材パルプ等があげられる。さらに、ポリエステル、ポリウレタンなどの化学繊維で構成し、裏面シート１１の下面のほぼ中央にそなえる。
【００２５】
樹脂シート１３は、液体を吸収する速度が遅い疎水性の材料、例えば、ポリビニル、ポリエチレン、ポリプロピレンなどの帯状のシートからなり、吸収体１２の表面に接合する。
【００２６】
表面シート１０は、長矩形の薄いシート状であり、液体を透過する部材、例えば、メッシュ状のプラスチックフィルムなどからなり、中央部分は、吸収体１２を覆って取り付け、周縁部分は、裏面シート１１に直接接合する。また、表面シート１０が吸収体１２を覆う中央部分は、清掃面１５を形成する。
【００２７】
なお、裏面シート１１、吸収体１２、樹脂シート１３、表面シート１０は、それぞれ、ホットメルト接着剤などにより接合される。
【００２８】
図２は、図１の清掃用パッドＰを清掃面側から見た平面図である。樹脂シート１３は、詳しくは、清掃面１５の縁部Ｍ１，Ｍ２に対応する部分に、それぞれ、長さＬ１、幅Ｗで設けられる。
【００２９】
この樹脂フィルム１３は、さらに詳しくは、図３に示すように、清掃面１５の縁部Ｍ１，Ｍ２に対応する表面シート１０と、長さＬ、幅Ｗ、厚さｔの高親水度吸収体１２との間に、それぞれ、長さＬ１、幅Ｗで設けられる。
【００３０】
そして、吸収体１２と樹脂フィルム１３を、表面シート１０と裏面シート１１で挟むようにして覆い、それぞれを重ね合せてホットメルト接着剤などにより接着する。
【００３１】
したがってこの例の清掃用パッドＰは、清掃面１５の縁部Ｍ１，Ｍ２に対応する部分に樹脂フィルム１３をそなえ、清掃面１５の中央部Ｃに対応する部分に吸収体１２をそなえるので、縁部Ｍ１，Ｍ２における液吸収速度を中央部Ｃにおける液吸収速度より遅くすることができる。
【００３２】
このように構成された清掃用パッドＰを用いて床面を清掃するときは、図４に示すように、まず、清掃用パッドＰを清掃用具１６に取り付ける。詳しくは、清掃用パッドＰを清掃用具１６の支持ヘッド１６ａに挟み込んで取り付ける。また、タンク１６ｂには、洗浄液を充填する。
【００３３】
次に、一方の手でグリップ１６ｃを把持し、他方の手で柄１６ｄの中央付近を把持し、清掃用パッドＰの清掃面１５を床面（対象物）に押しあてる。そして、スイッチ１６ｅを押すと、タンク１６ｂに充填された洗浄液が噴射口１６ｆから支持ヘッド１６ａのやや前方に霧状となって噴射される。
【００３４】
さらに、清掃用具１６を前後方向（図中、矢印の方向。）に動かして、清掃面１５を形成する表面シート１０で床面を擦って洗浄液を延ばしつつ、汚れを掻き取る。
【００３５】
このとき、吸収体１２の縁部Ｍ１，Ｍ２に対応する部分には、吸収体１２より吸収速度の遅い樹脂フィルム１３をそなえるので、洗浄液をほとんど吸収することなく、床面に広く延ばすことができ、洗浄液の展開面積を大きくすることができる。
【００３６】
そして、掻き取られた汚れを含んだ洗浄液を、吸収体１２で吸収する。
【００３７】
なお、上記樹脂フィルム１３の長さＬ１については、以下のような実験を行い、表１のような結果を得た。すなわち、液体を吸収しないタイル張りの床面に洗浄液を５ｍｌ吹き付け、長さＬ＝１２ｃｍ、幅Ｗ＝２６．５ｃｍの吸収体１２をそなえた清掃用パッドＰを清掃用具１６に取り付けて清掃面１５を床面に押しあてて前後に動かし、洗浄液を引延ばしうる展開面積と床面の状況について測定した。このとき、清掃用パッドＰの樹脂フィルム１３の長さＬ１を０〜５ｃｍまで変化させた。
【００３８】
【表１】
2004097515.tif 000003
【００３９】
これによると、樹脂フィルム１３の長さＬ１が５ｃｍのときは、洗浄液の展開面積は広くなるが、床に水分が残ってしまい、十分に拭き取りができない。また、樹脂フィルム１３の長さＬ１を０ｃｍ、すなわち、樹脂フィルム１３を有しない場合には、洗浄液の展開面積が他のときに比べて小さくなる。
【００４０】
したがって、樹脂フィルム１３の長さＬ１は、２〜４ｃｍとなるとき、洗浄液を有効に使用して床面を清掃することができる。
【００４１】
このとき、清掃面１５の面積Ｂ＝Ｌ×Ｗと、清掃面１５の縁部Ｍ１，Ｍ２に対応する部分にある２つの樹脂フィルム１３の合計面積Ｂ１＝２×Ｌ１×Ｗとの割合は、３０〜７０％が適当であるといえる。すなわち、清掃面１５の面積Ｂに対して、吸収速度を遅くした縁部Ｍ１，Ｍ２の面積Ｂの比率が３０〜７０％となるようにする。
【００４２】
また、清掃用パッドＰは、図５に示すように、清掃面１５の全周にわたって縁部を設け、その縁部に対応する部分に樹脂フィルム１３を設けてもよい。すなわち、長さＬ、幅Ｗ、厚さｔの吸収体１２の長さ方向の両端部に、長さＬ１、幅Ｗの樹脂フィルム１３ａをそなえるのに加えて、幅方向の両端部に、長さＬ２、幅Ｗ１の樹脂フィルム１３ｂを設ける。
【００４３】
このように構成された清掃用パッドＰ１は、清掃面１５の全周にわたって縁部に樹脂フィルム１３ａ，１３ｂを設けるので、清掃用具１６を前後方向に動かして清掃する場合のみならず、それと直交する左右方向に動かして清掃する場合にも、洗浄液を広く延ばすことができる。この場合には、樹脂フィルム１３ｂにて洗浄液をほとんど吸収することなく、床面に広く延ばすことができるので、より有効に洗浄液を使用することができる。
【００４４】
次にこの発明の清掃用パッドの他例について説明する。図６に示すように清掃用パッドＰ２は、液透過性の表面シート１０と、裏面シート１１と、その間に介在された吸収体２０をそなえる。このとき、長さＬ、幅Ｗ、厚さｔの吸収体２０は、長さＬ２、幅Ｗ、厚さｔの高親水度吸収体（親水度の高い吸収体）１８と、長さＬ１、幅Ｗ、厚さｔの低親水度吸収体（親水度の低い吸収体）１７から構成される。なお、吸収体２０以外の構成部材は、上述の例と同様であるので、説明を省略する。
【００４５】
低親水度吸収体１７は、液体を吸収する速度が遅い材料、例えば、ポリビニル、ポリエチレン、ポリプロピレンなどの繊維で構成したものである。この低親水度吸収体１７は、清掃面１５の縁部Ｍ１，Ｍ２で、かつ、高親水度吸収体１８に隣接して設けられる。すなわち、吸収体２０を縁部Ｍ１，Ｍ２に対応する部分と、中央部Ｃに対応する部分とで異なる部材を用いて形成する。
【００４６】
このように構成された吸収体２０を、表面シート１０と裏面シート１１で挟むようにして覆い、ホットメルト接着剤などにより接着する。
【００４７】
なお、吸収体の親水度については、以下の手順により測定を行って判定する。まず、測定する吸収体を縦７ｃｍ、横２５ｃｍの大きさに切断して、試験片を作成する。次に、試験台の上に、キッチンペーパーを６枚重ねて置き、その上に、前記試験片を載置する。さらに、その試験片の上に、図７に示すような、縦５０ｍｍ、横２１５ｍｍ、厚さ５ｍｍで重さ４００ｇのステンレス板に直径５ｍｍの孔が横一列に１０個設けられた測定器を載置する。
【００４８】
そして、予め水を入れておいた注射器を用いて、注射器の先端が孔から露出した試験片の１ｃｍ上方となる位置から水を一滴滴下する。同様に、残りの９個の孔から露出した試験片にも一滴ずつ滴下する。
【００４９】
３分経過後、水を滴下した１０箇所のうち、水を吸収した箇所にのみ、再び、上述の注射器を用いて、水を一滴滴下する。さらに３分経過後、３分前に水を滴下した箇所のうち、水を吸収した箇所にのみ、上述の注射器を用いて、水を一滴滴下する。そして、さらにまた３分後、３分前に水を滴下した箇所のうち、水を吸収した箇所数をカウントする。その箇所数が３箇所以上あるとき、測定した吸収体は、親水度が高い（高親水度吸収体）とし、２箇所以下のときは、測定した吸収体は、親水度が低い（低親水度吸収体）とする。
【００５０】
ところで、この清掃用パッドＰ２の低親水度吸収体１７の厚さは、高親水度吸収体１８の厚さｔよりも薄くしてもよい。換言すれば、清掃用パッドＰ２の清掃面１５の縁部Ｍ１，Ｍ２における厚さを、清掃面１５の中央部の厚さよりも薄くしてもよい。この場合、清掃用パッドＰの清掃面１５と床面との抵抗を少なくすることができ、スムーズに清掃用具を動かすことができる。
【００５１】
また、清掃用パッドＰ３を図８に示すように構成してもよい。すなわち、長さＬ、幅Ｗ、厚さｔ２の高親水度吸収体（親水度の高い吸収体）１８ａと、長さＬ２、幅Ｗ、厚さｔ１の高親水度吸収体（親水度の高い吸収体）１８ｂとを長さ方向の中心線ＣＬにおいて重ね合せて接着した高親水度吸収体（親水度の高い吸収体）１８に、長さＬ１、幅Ｗ、厚さｔ１の低親水度吸収体１７を、清掃面１５の縁部Ｍ１，Ｍ２の対応する部分に設け、吸収体２１とする。
【００５２】
そして、吸収体２１を表面シート１０と裏面シート１１で挟むようにして覆い、ホットメルト接着剤などにより接着する。
【００５３】
このように構成すると、前述の例と比べて、同じ清掃面積を有する清掃用パッドにおいて、高親水度吸収体１８をより多く設けることができ、より多量の洗浄液を吸収することができるので、１枚の清掃用パッドでより多くの面積を清掃することができる。
【００５４】
ところで、清掃用パッドＰ３の低親水度吸収体１７の厚さは、高親水度吸収体１８ｂの厚さｔ１より薄くしてもよい。この場合、清掃面１５の縁部Ｍ１，Ｍ２の厚さを中央部Ｃの厚さよりも薄くすることができ、清掃用パッドＰ３の清掃面１５と床面との抵抗を少なくすることができ、スムーズに清掃用具を動かすことができる。
【００５５】
さらに、低親水度吸収体１７に代えて、疎水性フィルム１３をそなえてもよい。この場合も、上記同様、清掃面１５の縁部Ｍ１，Ｍ２の厚さを中央部Ｃの厚さよりも薄くすることができ、清掃用パッドＰ３の清掃面１５と床面との抵抗を少なくすることができ、スムーズに清掃用具を動かすことができる。
【００５６】
また、上述の例では、清掃用パッドを清掃用具に挟み込んで取り付けて使用したが、この発明はこれに限定されるものではなく、清掃用パッドの裏面シートに取り付けテープをそなえ、清掃用具の支持ヘッドに取り付けてもよく、また、清掃用具を用いずに、清掃用パッドを直接、手で持って使用してもよい。
【００５７】
加えて、清掃用パッドを床面の清掃のみならず、家具の表面や机の上を清掃するために用いてもよい。
【００５８】
【発明の効果】
したがって、この発明によれば、洗浄液を有効に使用できる清掃用パッドを提供することができる。
【図面の簡単な説明】
【図１】この発明の清掃用パッドの破断斜視図である。
【図２】その清掃面側からみた平面図である。
【図３】そのＡ−Ａ矢視方向の縦断面図である。
【図４】その清掃用パッドを取り付けた清掃用具の斜視図である。
【図５】この発明の清掃用パッドの他例の平面図である。
【図６】さらに他例の縦断面図である。
【図７】吸収体の親水度の測定方法を示す図である。
【図８】この発明の清掃用パッドのまたさらに他例の縦断面図である。
【符号の説明】
１０　　表面シート
１１　　裏面シート
１２，２０　　吸収体
１３　　樹脂シート（疎水性シート）
１５　　清掃面
１７　　低親水度吸収体（親水度の低い吸収体）
１８，１８ａ，１８ｂ　　高親水度吸収体（親水度の高い吸収体）
Ｃ　　中央部
Ｍ１，Ｍ２　　縁部
Ｐ，Ｐ１，Ｐ２，Ｐ３　　清掃用パッド
ｔ，ｔ１，ｔ２　　厚さ
【図１】
2004097515.tif 000004
【図２】
2004097515.tif 000005
【図３】
2004097515.tif 000006
【図４】
2004097515.tif 000007
【図５】
2004097515.tif 000008
【図６】
2004097515.tif 000009
【図７】
2004097515.tif 000010
【図８】
2004097515.tif 000011